(57)【特許請求の範囲】
【請求項１】
矩形の定規板の適宜の辺に、基準尺目盛を１／４．６に縮尺した第１尺と、
該第１尺を１／２に縮尺してさらに２／３に縮尺した第３尺と、
該第３尺を３／４に縮尺した第４尺と、
上記定規板の１辺に沿う直線部と後衿ぐり線を引く曲線部とを形成する窓孔と、
上記曲線部の起端から肩線の角度を指し示す角度指標と、
ラフスケッチ作業部の曲線の作成を支援する曲線作図機能部とを備えたパターン作成定規を用いて、
中心線と、該中心線に直角な第１直線とを引く工程と、
前記第１直線上に、前記中心線と第１直線との第１交点である基準点から第３尺による実寸胸囲と同値目盛に第１ゆとりを加えた寸法を採って第１起点を定める工程と、
この寸法線に前記パターン作成定規の窓孔の直線部を沿わせて該窓孔の曲線部の基端を前記第１起点に合わせ、この状態で前記曲線部により後衿ぐり線を引くと共に前記角度指標にて肩線の角度を定める第２点を採る工程と、
前記第１起点から上記肩線の角度を定める第２点を通過する肩線を引く工程と、
前記第１直線から前記中心線と平行に、第１尺による実寸胸囲と同値目盛の寸法と第４尺による実寸胸囲と同値目盛とを加えた寸法位置に第３点を採る工程と、
前記第３点に向けて前記中心線から該中心線と直角にバスト線を引く工程と、
前記後衿ぐり線と前記中心線との第５交点から引く第２直線が、該第２直線上で上記第５交点から実寸肩幅の１／２に採った寸法位置で前記肩線と交わる第３交点を上端点として採る工程と、
前記中心線から前記バスト線上で（実寸胸幅＋第２ゆとり）／４の位置に袖ぐり下端点を定め、該袖ぐり下端点からバスト線上に、第３尺による実寸胸囲と同値目盛の寸法の位置に第６点を定める工程と、
前記第６点と前記上端点とを結ぶ第３直線を引く工程と、
前記中心線上に、前記第５交点から背丈の寸法位置に第７点を定め、該第７点から前記中心線に対して直角なウェスト線を引く工程と、
前記袖ぐり下端点から上記ウェスト線に直角な脇線を引く工程と、
前記基準点から前記中心線上に第３尺による実寸胸囲と同値目盛の寸法に前記第１ゆとりを加えた寸法を採ってここから中心線に垂直な第４直線を引き、前記第１起点から前記肩線に対して直角な第５直線を引いて、上記第４直線と第５直線を接線となす曲線を前記曲線作図機能部により引いて前衿ぐり線とする工程とを有する洋裁のパターン作成方法であって、
前記袖ぐり下端点より前記第１直線へ向って１．２５ｃｍの距離をなす第８点と前記上端点とを曲線にて結ぶ前袖ぐり線を前記曲線作図機能部にて引く工程と、
前記袖ぐり下端点より前記ウェスト線へ向って１．２５ｃｍの距離をなす第９点と前記上端点とを曲線にて結ぶ後袖ぐり線を前記曲線作図機能部にて引く工程と、
前記バスト線と中心線との第４交点を定め、該第４交点と前記第６点とを結ぶ第６直線上に該第６直線の中心点から脇線側へ距離１．５ｃｍをなす第１０点を定める工程と、
該第１０点から前記ウェスト線に第７直線を引く工程と、
前記肩線の中心から乳下り長を前記第７直線上にとった点をバストポイントと定める工程と、
前記袖ぐり下端点より前記ウェスト線に向かって脇線上の距離５ｃｍをなすところを第１１点と定め、該第１１点とバストポイントとを結ぶ工程と、
前記第１１点を中心に２．５ｃｍを均等に配分する２点を採って前記袖ぐり下端点に近い方から第１２点、第１３点と定める工程と、
前記第１１点から前記バストポイントに向かって９ｃｍの距離をなす第１４点を定め、該第１４点から前記第１２点、第１３点とをそれぞれ結ぶ乳ダーツ線を引く工程と、
前記第１３点と第１４点を結ぶ直線距離を測り、第１４点から第１２点の延長線上に上記直線距離と同じ距離になるような第１５点を定める工程と、
前記袖ぐり下端点より第１直線へ向って１．２５ｃｍの距離をなす前記第８点と第１５点とを結ぶ直線を引く工程とを行う
洋裁のパターン作成方法。
【請求項２】
前記肩線を３等分し、前記第１起点に近い方を第１６点と定め、
前記第６点と前記第４交点を結んだ直線の第１7点とを結び、該第１7点から前記第１６点に向かって５ｃｍの距離を第１８点と定め、
前記第１６点と前記第１８点を結ぶ直線を切り開いて肩ダーツ線を部分作成する工程を行う
請求項１記載の洋裁のパターン作成方法。
【請求項３】
前記第１尺を１／２に縮尺した第２尺を適宜の辺に備えた前記パターン作成定規を用いて、
長袖原型の作成を、
長袖用基準点から縦に第１尺により実寸胸囲と同値目盛の寸法に第３ゆとりを加えた長さの第１辺と、前記長袖用基準点から横に袖丈の長さの第２辺を有する長方形を描く工程と、
前記長袖用基準点から前記第２辺に沿って前記第２尺により実寸胸囲と同値目盛の寸法と第４尺により実寸胸囲と同値目盛の寸法とを加えた位置に第１９点を定める工程と、
前記第１９点から前記第１辺に平行な垂線を引き、第５尺により実寸胸囲と同値目盛の寸法の位置に第２０点を定める工程と、
前記第２０点と第１辺の下端の第２１点とを結ぶ第８直線を引き、この第８直線を３等分した点を、第２０点に近い方から第２２点、第２３点と定める工程と、
前記第２１点から第１辺に沿って第４尺により実寸胸囲と同値目盛の寸法の位置を、第２４点と定める工程と、
前記第２４点と第２０点とを結ぶ第９直線を引く工程とにより行う
請求項１又は２記載の洋裁のパターン作成方法。
【請求項４】
前記長袖原型に組み合わせる前袖山線の部分作成を、
前記第２４点から前記第１辺に対して直角となる第１０直線を引く工程と、
この第１０直線と第８直線との交点を第２５点と定める工程と、
前記第１０直線を３等分し、第２４点に近い点を第２６点と定める工程と、
第２３点から第９直線に向けて第８直線に対して直角な第１１直線を引く工程と、
この第１１直線を３等分し、第２３点から遠い点を第２７点と定める工程と、
前記第２２点と第２３点の中間点を第２８点と定める工程と、
前記第２２点から第９直線に向け直角となる直線を引く工程と、
第２２点を介して同距離の位置にある点を第２９点と定める工程と、
第２８点と第２９点を結ぶ第１２直線を引く工程と、
前記第２０点と第２２点の中間点を第３０点と定める工程と、
前記第３０点から第１２直線に向けて直角となる直線を引く工程と、
この直線の中間点を第３１点と定める工程と、
前記第２０点、第３１点、第２９点、第２８点、第２７点、第２６点、第２１点を曲線で結ぶか、又は、これらの点のうち第２９点と第２８点及び第２８点と第２７点については直線で結ぶ工程とにより行う
請求項３記載の洋裁のパターン作成方法。
【請求項５】
前記長袖原型に組み合わせる前袖口線の部分作成を、
第１辺と対向する第３辺の下端の第３２点から袖口寸法の１／２の距離に、第３３点を定める工程と、
この第３３点と前記第２０点を曲線で結ぶ工程とにより行う
請求項３又は４記載の洋裁のパターン作成方法。
【請求項６】
前記長袖原型に組み合わせる後袖山線の部分作成を、
第２４点と第２６点の中間点を第３４点と定める工程と、
第２２点から第９直線に対して直角に引いた直線の中間点を第３５点と定める工程と、
第２３点から第９直線に対して直角に引いた直線との交点を第３６点と定める工程と、
第１９点、第３０点、第３５点、第３６点、第３４点、第２１点を曲線で結んで行うか、又は、これらの点のうち第３５点と第３６点については直線で結んで行う工程とを行う
請求項３、４又は５記載の洋裁のパターン作成方法。
【請求項７】
前記長袖原型に組み合わせる後袖口線の部分作成を、
第１辺と対向する第３辺の下端の第３２点から袖口寸法の１／２の寸法に、ダーツ分の寸法を加えた距離に、第３７点を定める工程と、
第３７点と第１９点を曲線で結ぶ工程により行う
請求項６に記載の洋裁のパターン作成方法。
【請求項８】
前記第１尺を１／２に縮尺した第２尺を適宜の辺に備えた前記パターン作成定規を用いて、
半袖原型の作成を、
半袖用基準点から縦に第１尺により実寸胸囲と同値目盛の寸法にゆとりを加えた長さの第４辺と、半袖用基準点から横に袖丈の長さの第５辺を有する長方形を描く工程と、
半袖用基準点から第５辺に沿って第２尺により実寸胸囲と同値目盛の寸法と第４尺により実寸胸囲と同値目盛の寸法とを加えた位置に第３８点を定める工程と、
第３８点から第４辺に平行な垂線を引き、第５尺により実寸胸囲と同値目盛の寸法の位置に第３９点を定める工程と、
第３９点と第４辺の下端の第４０点とを結ぶ第１３直線を引き、この第１３直線を３等分した点を、第３９点に近い方から第４１点、第４２点と定める工程と、
第４０点から第４辺に沿って第４尺により実寸胸囲と同値目盛の寸法の位置を、第４３点と定める工程と、
第４３点と第３９点とを結ぶ第１４直線を引く工程とにより行う
請求項１又は２に記載の洋裁のパターン作成方法。
【請求項９】
前記半袖原型に組み合わせる前袖山線の部分作成を、
前記第４３点から第４辺に対して直角となる第１５直線を引く工程と、
この第１５直線と第１３直線との交点を第４４点と定める工程と、
第１５直線を２等分した点を第４５点と定める工程と、
第４２点から第１４直線に向けて第１３直線に対して直角な第１６直線を引く工程と、
この第１６直線を２等分した点を第４６点と定める工程と、
第４１点と第４２点の中間点を第４７点と定める工程と、
第４１点から第１４直線に向け直角となる直線を引く工程と、
第４１点を介して同距離の位置にある点を第４８点と定める工程と、
第４７点と第４８点を結ぶ第１７直線を引く工程と、
第３９点と第４１点の中間点を第４９点と定める工程と、
第４９点から第１７直線に向けて直角となる直線を引く工程と、
この直線の中間点を第５０点と定める工程と、
第３９点、第５０点、第４８点、第４７点、第４６点、第４５点、第４０点を曲線で結ぶか、又は、第４８点と第４７点及び第４７点と第４６点については直線で結ぶ工程とにより行う
請求項１、２又は８記載の洋裁のパターン作成方法。
【請求項１０】
前記半袖原型に組み合わせる前袖口線の部分作成を、
第４辺と対向する第６辺の下端の第５１点から袖口寸法の１／２の距離に、第５２点を定める工程と、
この第５２点を挟んで前後１．５ｃｍの距離に第５３点と第５４点を定める工程と、
第３９点と第５４点を曲線で結ぶ工程とにより行う
請求項１、２、８又は９記載の洋裁のパターン作成方法。
【請求項１１】
前記半袖原型に組み合わせる後袖山線の部分作成を、
第４３点と第４５点の中間点を第５５点と定める工程と、
第４２点から第１４直線に対して直角に引いた直線との交点を第５６点と定める工程と、
第４９点から第１４直線に対して直角に引いた直線との交点を第５７点と定める工程と、
第３８点、第５７点、第５６点、第５５点、第４０点を曲線で結ぶか、又は、これらの点のうち第５７点と第５６点を直線で結ぶ工程により行う
請求項１、２、８、９又は１０記載の洋裁のパターン作成方法。
【請求項１２】
矩形の定規板の適宜の辺に、基準尺目盛を１／４．６に縮尺した第１尺と、
該第１尺を１／２に縮尺してさらに２／３に縮尺した第３尺と、
該第３尺を３／４に縮尺した第４尺と、
曲線部と直線部を形成する窓孔と、
上記曲線部の起端から肩線の角度を指し示す角度指標と、
ラフスケッチ作業部の曲線の作成を支援する曲線作図機能部とを備え
請求項１から１１のいずれか１つに記載の洋裁のパターン作成方法に用いるパターン作成定規。
【発明の詳細な説明】
【０００１】
【発明の属する技術分野】
この発明は、洋裁のパターンを簡易迅速に作成し得るパターン作成定規とその方法に関するものである。
【０００２】
【従来の技術】
洋裁におけるパターン作成は、衣服製造工程の中で、最も専門技術を要する作業であり、パターンナーと呼ばれる専門技術者の育成には膨大な時間が必要となる。また、パターン作成にはパターンナーの個人的な資質（感・センス・経験）が大きく影響するラフスケッチ作業部が存在し、全作成行程を網羅した作業の標準化は困難であった。
【０００３】
従来、標準体型に適応する洋裁における身頃原型の作成方法及びこれに使用する定規として、特公昭５３−６５７９号公報に示すものがある。
【０００４】
その方法は、日本人（特に婦女子）の身体に最も適合し易い洋服についての身頃原型各部の寸法が次のような関係を有するということに基づいている。
【０００５】
即ち、前後の衿ぐり線の外方起点（＝肩下り起点）を一致させた場合、その点から胸幅線までの寸法が、その人の胸部の１／４．６の関係にあること、前記起点から身体の縦の中心線までの寸法と前衿ぐり線の下端点までの寸法とが相等しく、これらは前記寸法の１／３の関係にあること、前記胸幅線から胸囲り線までの寸法が更にその２／３の関係にあること、又胸囲の１／４．６×１／３とした前記寸法が、袖ぐり線の通過位置（袖ぐりの深さ）を決定する重要な基準寸法であることである。
【０００６】
従って、身頃原型の作成に当ってはこれらの関係を常に保つこと、及びこれらの関係によっては定められない他の部分については実測値や従来公知の方法を加味して作図すれば、望む原型が得られる。
【０００７】
しかし、前記の関係は複雑な分数関係であり、これを逐一計算して算出していると極めて非能率的であるので、原型作成に当たっては、上記の関係を予め算出し、その算出結果を目盛として刻設した次のような定規を使用している。
【０００８】
その定規は、第２５図（ａ）（ｂ）に示す通り、基準尺目盛Ｘ（所謂センチ尺の目盛）を１／４．６に縮尺してＣ尺とし、更にそのＣ尺を３／４に縮尺してＤ尺とし、それぞれの目盛を矩形定規板Ｌの側辺の適所に刻設したものである。
【０００９】
その他、作図上の便宜のために後衿ぐり線作図用の曲線部２３を有する窓孔２４を設け、この窓孔２４の起端２５から定規板Ｌの一辺に対し１８度の交角を形成する角度指標２６を設けると共に、襟、袖、パンタロン等原型作図用の尺として、Ａ尺を１／２に縮尺したＢ尺、Ｄ尺を２／３に縮尺したＥ尺、基準尺目盛Ｘを１／４に縮尺したＧ尺等を定規板Ｌの表裏両面の側辺適所に刻設している。
【００１０】
さらに、身頃原型は前後の各半身頃を別々に作図するか、又は両者を隣接して左右に並べた状態で作図するのが従来は普通であったが、この出願の発明者が提唱する方法にあっては、両者において共通させることができない衿ぐり線や袖ぐり線はそれぞれ別個に作図するが、他の線は共通とし、以って一板の図面上に前後半身頃の原型が同時に作図できるようにし、前述の定規を使用することゝ相俟って能率的な作図ができるようにしたのである。
【００１１】
【発明が解決しようとする課題】
上記の定規を使用する身頃原型の作成方法は、作図の基本を理解すれば非常に短時間で作図することができ、位置決め要素が多く且つ複雑な計算を要した従来の作図方法に比べると、格段の進歩があったものであるが、その後次のような解決すべき課題が生じている。
【００１２】
まず、上記の原型の作成方法は、作業行程の完全標準化までには至っていない。
【００１３】
また、作成時間の大幅削減は実現できたものの、上記の原型の作成方法において費やされる時間のうち、４分の１〜５分の１が、定規を利用しない人的手作業であるラフスケッチ作業部に費やされており、作業効率及び作業時間の短縮に限界がある。
【００１４】
さらに、このラフスケッチ作業のミスは、縫製段階まで露見せず、露見後はパターンの作り直し及び裁断作業の再実施をしなくてはならず、作業効率の低下、作業費の増大を招くという問題があった。
【００１５】
一方、生活文化様式が急速に発達した今日、上記の原型の作成方法において規定した「標準体型」から乖離する「特殊体型」保有者の割合が増加傾向にあり、前記の「標準体型」を対象としたパターン作成手法だけでは十分に対応できなくなってきているが、これらへの対応は一時的、かつ非確立的な修正をもって実施されており、確立された対応方法が存在しない。
【００１６】
そこで、この発明は、より洗練された洋服を作成するための作成方法を確立し、標準化を実現し、特に婦女子の身体に、より適合し易い衣服の作成を可能にしようとするものである。
【００１７】
【課題を解決するための手段】
この発明は、上記の課題を解決するために、「原型作成」と「部分作成」を分解して標準化し、「原型作成」を「身頃原型」、「長袖原型」、「半袖原型」とし、これらの部分作成の詳細を「前衿ぐり線」、「前袖ぐり線」、「後袖ぐり線」、「乳ダーツ線」「肩ダーツ線」、「前袖山線」、「前袖口」、「後袖口」としたものであり、原型さえ作成してしまえば、上記の部分作成を任意に組み合わせることにより、パターンナー独自センスに応じたパターン作成方法を確立可能としたのであり、特に「乳ダーツ」の作成に特徴を有するものである。
【００１８】
そして、従来のパターン作成定規にラフスケッチ作業を支援する機能を付加すると共に、ラフスケッチ作業手順を機械的に実施できる作業方法を付加することにより、精度の高い標準化された作業を迅速に実施可能とし、パターン作成時間のさらなる短縮化を可能にしたものである。
【００１９】
また、「標準体型」を基準とし、これより乖離した「特殊体型」に対しても柔軟に対応可能とするパターン作成方法を追加することにより、常識の枠を越えた体型以外の全ての体型を対象としたパターン作図を可能にしたものである。
【００２０】
これらが実現することにより、ラフスケッチ部作業部を含み、「特殊体型」を網羅し、「基本衣服」を対象としたパターン作成作業全体に対する標準化が可能となる。
【００２１】
【発明の実施形態】
この発明のパターン作成方法においては、図１９〜図２４に示すような、ラフスケッチ作業部の曲線の作成を支援する曲線作図機能部を備えるパターン作成定規を使用する。
【００２２】
この発明のパターン作成方法において使用するパターン作成定規の基本構成は、矩形の定規板Ｌの辺に、基準尺目盛Ｘ、基準尺目盛Ｘを１／４．６に縮尺したＡ尺、Ａ尺を１／２に縮尺したＢ尺、Ｂ尺を２／３に縮尺したＣ尺、Ｃ尺を３／４に縮尺したＤ尺、Ｄ尺を２／３に縮尺したＥ尺、基準尺目盛Ｘを１／４に縮尺したＧ尺を設け、基準尺目盛Ｘ、Ｇ尺を定規板Ｌの表面に、Ａ尺、Ｂ尺、Ｃ尺、Ｄ尺及びＥ尺を定規板Ｌの裏面に刻設している。上記定規板Ｌには、その１辺に沿う直線部２７と後衿ぐり線７’を引く曲線部２３とを有する窓孔２４を設けている。また、定規板Ｌには、窓孔２４の曲線部２３の起端２５から肩線３１の角度を指し示す角度指標２６を設けている。
【００２３】
そして、このパターン作成定規には、ラフスケッチ作業部の曲線の作成を支援する曲線作図機能部を付加している。
【００２４】
図１９のパターン作成定規に付加されている曲線作図機能部は、定規板Ｌに反り幅Ｌ１、Ｌ２の異なる複数の曲線α、βを有する窓孔２４ｂからなり、この窓孔２４ｂの曲線α、βに沿ってラフスケッチ作業部の曲線を描くことができる。
【００２５】
図２０のパターン作成定規に付加されている曲線作図機能部は、定規板Ｌに反り幅Ｌ１、Ｌ２の異なる複数の曲線α、βを有する溝孔２４ｃ、２４ｄからなり、この溝孔２４ｃ、２４ｄの曲線α、βに沿ってラフスケッチ作業部の曲線を描くことができる。
【００２６】
曲線α、βは、この出願の発明者が、これまで作成した多数枚のパターンから統計的に抽出して決定したものである。曲線αは、反りが１．２５ｃｍの軽曲専用ラインであり、前後衿ぐり線の軽曲ラインを描く際に使用することができるようにしている。また、曲線βは、反りが１．７５ｃｍの重曲専用ラインであり、前後衿ぐり線の重曲ラインや前衿ぐり線を描く際に使用することができるようにしている。
【００２７】
図２１、図２２のパターン作成定規に付加されている曲線作図機能部は、定規板Ｌに反り幅の異なる複数の曲線に沿うように、多数の小孔２４ｅからなり、この小孔２４ｅに沿って印を付けて、ラフスケッチ作業部の曲線を描くことができるようにしている。
【００２８】
そして、図２１のパターン作成定規では、反り幅の異なる複数の曲線を描く小孔２４ｅを、定規板Ｌの１辺の１点を中心に配置している。
【００２９】
図２２のパターン作成定規では、反り幅の異なる複数の曲線を描く小孔２４ｅを、１本の直線から分岐するように配置している。
【００３０】
図２３のパターン作成定規に付加されている曲線作図機能部は、定規板Ｌの１辺から幅の異なる複数本の補助定規板２４ｆ、２４ｇを水平に出し入れ自在に設け、図２４に示すように、複数本の補助定規板２４ｆ、２４ｇに反り幅の異なる複数の曲線に沿う指標２４ｈ〜２４ｎを設け、複数本の補助定規板２４ｆ、２４ｇを図２４に示すように、引き出してラフスケッチ作業部の曲線に沿う指標２４ｈ〜２４ｎに印を付けてラフスケッチ作業部の曲線を描くことができるようにしている。
【００３１】
次に、上記のパターン作成定規を用いて身頃原型を作成する方法について説明する。
【００３２】
まず、作図に当って、胸囲（バスト）、肩幅、背丈、胸幅、背幅、乳下りの各寸法を計測し、（イ）乃至（ヲ）の作図工程により、身頃原型を作成した後、この身頃原型に、「前衿ぐり線」「前袖ぐり線」「後袖ぐり線」「乳ダーツ線」「肩ダーツ線」の部分作成を任意に組み合わせてパターン作成を行う。
【００３３】
「身頃原型」の作図方法（図１参照）
（イ）前後半身頃１，２に共通な基準点３において中心線５と、それに直角な線４を引く。
（ロ）一方の直線４からＡ尺により実寸胸囲と同値目盛の寸法ａを採り、胸幅線６の位置を定める。
（ハ）基準点３から直線４上に、Ｃ尺により実寸胸囲と同値目盛の寸法ｃにゆとりｃ１（１ｃｍ）を加えた寸法ｃ’を採り、前後両衿ぐり線７，７’に共通な起点９を定め、パターン作成定規の窓孔２４の直線部２７を直線４に沿わせて曲線部２３によって起点９から後衿ぐり線７’を引き、後衿ぐり線７’の中心線５上の点を下端点２９と定め、窓孔２４の曲線部２３の起端２５から角度指標２６を通る肩線３１を引く。
（ニ）基準点３から中心線５上に前記寸法ｃ’を採り前衿ぐり線７の下端の点１０を定める。
（ホ）肩線３１に対して起点９から直角な線３２を引き、点１０から中心線５に対して直角な線３２’を引いて、線３２と線３２’との交点を点３８と定める。
（へ）前記肩線３１と前記点２９から実寸肩幅の１／２に採った線４３の交点を点３０とする。
（ト）前記直線４から中心線５と平行に、Ａ尺により実寸胸囲と同値目盛の寸法ａと、Ｄ尺により実寸胸囲と同値目盛の寸法ｄとを加えた寸法位置に、点３９を定める。
（チ）中心線５から点３９に向かって直角に、バスト線８を引く。
（リ）中心線５からバスト線８上に、１／４尺により実寸胸幅とゆとりｅ（１０ｃｍ）とを加えた寸法の同値目盛の位置に袖ぐり下端点１３を定める。
（ヌ）袖ぐり下端点１３からバスト線８上に、Ｃ尺により実寸胸囲と同値目盛の寸法ｃの位置に点３３を定め、点３３と上端点３０とを結ぶ直線３３’を引く。
（ル）前記中心線５上に、下端点２９から背丈の寸法位置に点４０を定める。
（ヲ）点４０から中心線５に対して直角なウェスト線３６を引き、点１３からウェスト線３６に直角な脇線３７を引く。
【００３４】
「前衿ぐり線」の作図方法１（図１参照）
前衿ぐり線７の部分作成を、起点９、下端点１０を両端とし、線３２と線３２’を接線となす曲線を引いて行う。
【００３５】
「前衿ぐり線」の作図方法２（図２参照）
前衿ぐり線７の部分作成を、基準点３と点３８を結んだ直線上に、点３８から１．３ｃｍの距離をなす点４１を定め、起点９と点３８とを結ぶ線３２の中心より、点３８へ１ｃｍの距離をなす点４２を定め、点４２、４１、下端点１０を結んだ曲線を引いて行う。
【００３６】
「前衿ぐり線」の作図方法３（図３参照）
前衿ぐり線７の部分作成を、下端点２９と点３０（図１）を結んだ線４３を引き、線３２と線４３との交点を点４４と定め、点４４、下端点１０を両端とし、線３２、３２’を接線となす曲線を引いて行う。
【００３７】
「前衿ぐり線」の作図方法４（図４参照）
前衿ぐり線７の部分作成を、基準点３と点３８を結んだ直線上に、点３８から１．３ｃｍの距離をなす点４１を定め、下端点２９と点４４を結んだ線４３を引き、線３２と線４３との交点を点４４と定め、点４４、４１、下端点１０を結んだ曲線を引いて行う。
【００３８】
「前袖ぐり線」の作図方法１（図５参照）
前袖ぐり線１１の部分作成を、直線４から中心線５に平行にＡ尺により実寸胸囲と同値目盛の寸法ａの距離をなす点４５を定め、点４５に向かって中心線５より直角に胸幅／２＋ゆとりｆ（１ｃｍ）の距離をなす点４６を定め、袖ぐり下端点１３を中心に脇線３７上に２．５ｃｍを左右均等に配分した袖ぐり下端点１３から左右に各々１．２５ｃｍの距離にある２点をとり、点４７、４８と定め、点４７から点４６に向かって浅い曲線、点４６より少し中心線５側に入りながら肩先の点３０に向かって曲線を引いて行う。
【００３９】
「前袖ぐり線」の作図方法２（図６参照）
前袖ぐり線１１の部分作成を、前記点４６と点１３を結んだ直線４９を引き、前記点４７から中心線５に垂直に交わる線５０を引き、線４９と線５０の交点を点５１と定め、点４７から点５１までを直線で結び、点５１から点４６に向かって直線５０が接線となるように浅い曲線、点４６より少し中心線５側に入りながら肩先の点３０に向かって曲線を引いて行う。
【００４０】
「乳ダーツ線」の作図方法（図５参照）
乳ダーツ線５２’の部分作成を、バスト線８と中心線５との交点を点５２と定め、点３３、５２を結ぶ直線の中心５３から脇線３７側へ距離１．５ｃｍをなす点５４を定め、点５４からウェスト線３６に向かって直線５５を引き、肩線３１の中心を点５６と定め、そこから乳下り長を直線５５上にとった点５７をバストポイントと定め、点１３よりウェスト線３６に向かって脇線３７上の距離５ｃｍをなすところを点５８と定め、点５７とを結び、点５８を中心に２．５ｃｍを左右均等に配分する２点をとり、点５９、６０と定め、点５８から点５７に向かって９ｃｍの距離をなす点６１を定め、点５９、６０とをそれぞれ結び、この線を乳ダーツ線と呼び、点６０と点６１を結ぶ直線距離を測り、点６１から点５９の延長線上に同じ距離になるような点６２を定め、点４７と点６２とを結ぶ直線を引いて行う。
【００４１】
「後袖ぐり線」の作図方法（図７参照）
後袖ぐり線１２の部分作成を、胸幅線６と線３３’との交点を点１８と定め、点１８と点３０を結んだ直線の中心から点１８へ向かって１ｃｍのところを点３４と定め、点３４に向かって、中心線５に対して直角になるように直線を引き、その距離が背幅／２＋ゆとりｇ（１ｃｍ）となる点２２を定め、点１３と点３３を結ぶ直線の中心を点６３と定め、点４８、６３、１８、２２、３０を結ぶ曲線を引いて行う。
【００４２】
「前後袖ぐり線」の確認方法
前袖ぐり線１１と後袖ぐり線１２の合計寸法を計測し、その値と、実寸胸囲／２に２．５ｃｍ加えた値とを比較し、その差が５ｍｍ以上小さい場合は、点４７と点４８をウェスト線３６側に移動させ、その差が５ｍｍ以上大きい場合は、点４７と点４８を直線４側に移動させることにより、アームホールの調整を行う。
【００４３】
「肩ダーツ線」の作図方法（図７参照）
肩ダーツ線の部分作成を、肩線３１を３等分し、点９に近い方を点６４と定め、点３３と点５２を結んだ直線の中心点６５とを結び、点６５から点６４に向かって５ｃｍの距離を点６６と定め、点６４と点６６を結ぶ直線を切り開いて行う。
【００４４】
次に、パターン作成定規を用いて長袖原型を作成する方法について説明する。
【００４５】
まず、作図に当って、袖丈、袖口の各寸法を計測し、（ワ）乃至（ソ）の作図工程により、長袖原型を作成した後、この長袖原型に、この長袖原型に、「前袖山線」「前袖口線」「後袖山線」「後袖口線」の部分作成を任意に組み合わせて作図を行う。
【００４６】
「長袖原型」の作図方法（図８参照）
（ワ）基準点７０から縦にＡ尺により実寸胸囲と同値目盛の寸法ａにゆとり（１ｃｍ）を加えた長さの辺７１と、基準点７０から横に袖丈の長さの辺７２を有する長方形を描く。
（カ）基準点７０から辺７２に沿ってＢ尺により実寸胸囲と同値目盛の寸法ｂとＤ尺により実寸胸囲と同値目盛の寸法ｄとを加えた位置に点７３を定める。
（ヨ）点７３から辺７１に平行な垂線を引き、Ｅ尺により実寸胸囲と同値目盛の寸法ｅの位置に点７４を定める。
（タ）点７４と辺７１の下端の点７５とを結ぶ直線７６を引き、この直線７６を３等分した点を、点７７、７８と定める。
（レ）点７５から辺７１に沿ってＤ尺により実寸胸囲と同値目盛の寸法ｄの位置を、点７９と定める。
（ソ）点７９と点７４とを結ぶ直線８０を引く。
【００４７】
「前袖山線」の作図方法（図９参照）
前袖山線の部分作成を、前記点７９から辺７１に対して直角となる直線８１を引き、この直線８１と直線７６との交点を点８２と定め、直線８１を３等分し、点７９に近い点を点８３と定め、点７８から直線８０に向けて直線７６に対して直角な直線８４を引き、この直線８４を３等分し、点７８から遠い点を点８５と定め、点７７と点７８の中間点を点８６と定め、点７７から直線８０に向け直角となる直線を引き、点７７を介して同距離の位置にある点を点８７と定め、点８６と点８７を結ぶ直線８８を引き、点７４と点７７の中間点を点８９と定め、点８９から直線８８に向けて直角となる直線を引き、この直線の中間点を点９０と定め、点７４、点９０、点８７、点８６、点８５、点８３、点７５を曲線で結んで行う。
【００４８】
「前袖山線」の作図方法２
前袖山線の部分作成を、点７４、点９０、点８７を曲線、点８７と点８６を直線、点８６と点８５を直線、点８５、点８３、点７５を曲線で結んで行うようにしてもよい。
【００４９】
「前袖口線」の作図方法（図１０参照）
前袖口線の部分作成を、辺７１と対向する辺９１の下端の点９２から袖口寸法の１／２の距離に、点９３を定め、点９３と点７４を曲線で結んで行う。
【００５０】
「後袖山線」の作図方法１（図１１参照）
後袖山線の部分作成を、点７９と点８３の中間点を点９４と定め、点７７から直線８０に対して直角に引いた直線の中間点を点９５と定め、点７８から直線８０に対して直角に引いた直線との交点を点９６と定め、点７３、点８９、点９５、点９６、点９４、点７５を曲線で結んで行う。
【００５１】
「後袖山線」の作図方法２
後袖山線の部分作成を、点７３、点８９、点９５を曲線、点９５、点９６を直線、点９６、点９４、点７５を曲線で結んで行うようにしてもよい。
【００５２】
「後袖口線」の作図方法（図１２参照）
後袖口線の部分作成を、辺７１と対向する辺９１の下端の点９２から袖口寸法の１／２の寸法に、ダーツ分の寸法（４ｃｍ）を加えた距離に、点９７を定め、点９７と点７３を曲線で結んで行う。
【００５３】
次に、パターン作成定規を用いて半袖原型を作成する方法について説明する。
【００５４】
まず、作図に当って、袖丈、袖口の各寸法を計測し、以下に示す（ツ）乃至（オ）の作図工程からなる半袖原型を作成した後、この半袖原型に、「前袖山線」「前袖口線」「後袖山線」「後袖口線」の部分作成を任意に組み合わせて作図を行う。
【００５５】
「半袖原型」の作図方法（図１３参照）
（ツ）基準点１００から縦にＡ尺により実寸胸囲と同値目盛の寸法ａにゆとり（１ｃｍ）を加えた長さの辺１０１と、基準点１００から横に袖丈の長さの辺１０２を有する長方形を描く。
（ネ）基準点１００から辺１０２に沿ってＢ尺により実寸胸囲と同値目盛の寸法ｂとＤ尺により実寸胸囲と同値目盛の寸法ｄとを加えた位置に点１０３を定める。
（ナ）点１０３から辺１０１に平行な垂線を引き、Ｅ尺により実寸胸囲と同値目盛の寸法ｅの位置に点１０４を定める。
（ラ）点１０４と辺１０１の下端の点１０５とを結ぶ直線１０６を引き、この直線１０６を３等分した点を、点１０７、１０８と定める。
（ノ）点１０５から辺１０１に沿ってＤ尺により実寸胸囲と同値目盛の寸法ｄの位置を、点１０９と定める。
（オ）点１０９と点１０４とを結ぶ直線１１０を引く。
【００５６】
「前袖山線」の作図方法１（図１４参照）
前袖山線の部分作成を、前記点１０９から辺１０１に対して直角となる直線１１１を引き、この直線１１１と直線１０６との交点を点１１２と定め、直線１１１を２等分した点を点１１３と定め、点１０８から直線１１０に向けて直線１０６に対して直角な直線１１４を引き、この直線１１４を２等分した点を点１１５と定め、点１０７と点１０８の中間点を点１１６と定め、点１０７から直線１１０に向け直角となる直線を引き、点１０７を介して同距離の位置にある点を点１１７と定め、点１１６と点１１７を結ぶ直線１１８を引き、点１０４と点１０７の中間点を点１１９と定め、点１１９から直線１１８に向けて直角となる直線を引き、この直線の中間点を点１２０と定め、点１０４、点１２０、点１１７、点１１６、点１１５、点１１３、点１０５を曲線で結んで行う。
【００５７】
「前袖山線」の作図方法２
前袖山線の部分作成を、点１０４、点１２０、点１１７を曲線、点１１７と点１１６を直線、点１１６と点１１５を直線、点１１５、点１１３、点１０５を曲線で結んで行うようにしてもよい。
【００５８】
「前袖口線」の作図方法（図１５参照）
前袖口線の部分作成を、辺１０１と対向する辺１２１の下端の点１２２から袖口寸法の１／２の距離に、点１２３を定め、この点１２３を挟んで前後１．５ｃｍの距離に点１２４と点１２５を定め、点１０４と点１２５を曲線で結んで行う。
【００５９】
「後袖山線」の作図方法１（図１６参照）
後袖山線の部分作成を、点１０９と点１１３の中間点を点１２６と定め、点１０８から直線１１０に対して直角に引いた直線との交点を点１２７と定め、点１１９から直線１１０に対して直角に引いた直線との交点を点１２８と定め、点１０３、点１２８、点１２７、点１２６、点１０５を曲線で結んで行う。
【００６０】
「後袖山線」の作図方法２
後袖山線の部分作成を、点１０３、点１２８を曲線、点１２８、点１２７を直線、点１２７、点１２６、点１０５を曲線で結んで行うようにしてもよい。
【００６１】
「後袖口線」の作図方法（図１７参照）
後袖口線の部分作成を、点１０３と点１２４とを曲線で結んで行う。
【００６２】
次に、図１８のフローチャートに示すように、まず、基準値を計測し、標準体型かどうかを判断し、標準体型であれば、上記の作図方法により、標準体型のパターン作成を完了させる。そして、標準体型でない特殊体型の場合は、以下の方法により、特殊体型対応を行う。
【００６３】
特殊体型のうち、全体のほぼ９５％を占めるのが、「肥満体型（約５０％）」「バスト調整型（約３５％）」「いかり肩型（約１０％）」であり、以下、これらに対応する対応方法を示し、同時に「いかり肩型」に付随する「肩パット」対応方法を示す。
【００６４】
肥満体型の場合における対応方法のその１は、Ｂ（バスト寸法）以外に「上バスト（腕の付け根下部分の周囲）」の長さを計測し、「｜バストの長さ−上バストの長さ｜≧４ｃｍ」を満たすことを確認し、パターン作成上の全ての基本数を上バストの値とし、Ａ尺、Ｃ尺、Ｄ尺も上バスト値をもって計測にあたる。そして、バスト線のみ通常通り、「Ｂ（バスト寸法）＋ゆとり」とする。
【００６５】
肥満体型の場合における対応方法のその２は、「前袖ぐり線」の作成方法において（図５，６参照）、点４７を採点せず、点３０、４６、１３を結んだ曲線を引き、「後袖ぐり線」の作成方法において（図７参照）、点４８を採点せず、点３０、２２、１８、１３を結んだ曲線を引くようにする。
【００６６】
標準体型の場合は（図１参照）、バストのゆとりｅは、１０ｃｍを固定値とするが、「バスト調整型」の場合は、バスト線８を示す基準式「（胸囲＋ゆとりｅ）／４」のうちｅの値を任意に調整して対応する。
【００６７】
「いかり肩型」及び「肩パット」対応の場合は、肩線を必要なだけ上げる。通常は１〜１．５ｃｍ位であるが、肩パットにより、その高さ分だけ上げるようにしてもよい。
【００６８】
この発明の構成と、上述の実施形態との対応において、
この発明の第１起点は、実施形態の起点９に対応し、
以下同様に、
第２点は、図１の角度指標２６に対応し、
第３点は、点３９に対応し、
第４交点は、点５２に対応し、
第５交点は、下端点２９に対応し、
第６点は、点３３に対応し、
第７点は、点４０に対応し、
第８点は、点４７に対応し、
第９点は、点４８に対応し、
第１０点は、点５４に対応し、
第１１点は、点５８に対応し、
第１２点は、点５９に対応し、
第１３点は、点６０に対応し、
第１４点は、点６１に対応し、
第１５点は、点６２に対応し、
第１６点は、点６４に対応し、
第１７点は、点６５に対応し、
第１８点は、点６６に対応し、
第１９点は、点７３に対応し、
第２０点は、点７４に対応し、
第２１点は、点７５に対応し、
第２２点は、点７７に対応し、
第２３点は、点７８に対応し、
第２４点は、点７９に対応し、
第２５点は、点８２に対応し、
第２６点は、点８３に対応し、
第２７点は、点８５に対応し、
第２８点は、点８６に対応し、
第２９点は、点８７に対応し、
第３０点は、点８９に対応し、
第３１点は、点９０に対応し、
第３２点は、点９２に対応し、
第３３点は、点９３に対応し、
第３４点は、点９４に対応し、
第３５点は、点９５に対応し、
第３６点は、点９６に対応し、
第３７点は、点９７に対応し、
第３８点は、点１０３に対応し、
第３９点は、点１０４に対応し、
第４０点は、点１０５に対応し、
第４１点は、点１０７に対応し、
第４２点は、点１０８に対応し、
第４３点は、点１０９に対応し、
第４４点は、点１１２に対応し、
第４５点は、点１１３に対応し、
第４６点は、点１１５に対応し、
第４７点は、点１１６に対応し、
第４８点は、点１１７に対応し、
第４９点は、点１１９に対応し、
第５０点は、点１２０に対応し、
第５１点は、点１２２に対応し、
第５２点は、点１２３に対応し、
第５３点は、点１２４に対応し、
第５４点は、点１２５に対応し、
第５５点は、点１２６に対応し、
第５６点は、点１２７に対応し、
第５７点は、点１２８に対応し、
上端点は、点３０に対応し、
長袖用基準点は、基準点７０に対応し、
半袖用基準点は、基準点１００に対応し、
第１直線は、線４に対応し、
第２直線は、線４３に対応し、
第３直線は、直線３３’に対応し、
第４直線は、線３２’に対応し、
第５直線は、線３２に対応し、
第６直線は、点３３と点５２を結ぶ直線に対応し、
第７直線は、直線５５に対応し、
第８直線は、直線７６に対応し、
第９直線は、直線８０に対応し、
第１０直線は、直線８１に対応し、
第１１直線は、直線８４に対応し、
第１２直線は、直線８８に対応し、
第１３直線は、直線１０６に対応し、
第１４直線は、直線１１０に対応し、
第１５直線は、直線１１１に対応し、
第１６直線は、直線１１４に対応し、
第１７直線は、直線１１８に対応し、
第１ゆとりは、ゆとりｃ１に対応し、
第２ゆとりは、ゆとりｅに対応し、
第３ゆとりは、ゆとり（１ｃｍ）に対応し、
第１辺は、辺７１に対応し、
第２辺は、辺７２に対応し、
第３辺は、辺９１に対応し、
第４辺は、辺１０１に対応し、
第５辺は、辺１０２に対応し、
第６辺は、辺１２１に対応し、
第１尺は、Ａ尺に対応し、
第２尺は、Ｂ尺に対応し、
第３尺は、Ｃ尺に対応し、
第４尺は、Ｄ尺に対応し、
第５尺は、Ｅ尺に対応し、
曲線作図機能部は、窓穴２４ｂ，溝孔２４ｃ，溝孔２４ｄ，小孔２４ｅ，補助定規板２４ｆ，補助定規板２４ｇに対応し、
窓孔は、窓穴２４ａに対応し、
窓孔の直線部は、直線部２７に対応し、
窓孔の曲線部は、曲線部２３に対応するも、
この発明は、上述の実施形態の構成のみに限定されるものではなく、多くの実施の形態を得ることができる。
【００６９】
【発明の効果】
以上のように、この発明によれば、ラフスケッチ部作業部を含み、「特殊体型」を網羅し、「基本衣服」を対象としたパターン作成作業全体に対する標準化が可能となる。
【図面の簡単な説明】
【図１】この発明に係るパターン作成方法における身頃原型の作図方法を示す図である。
【図２】この発明に係るパターン作成方法における前衿ぐり線の作図方法を示す図である。
【図３】この発明に係るパターン作成方法における前衿ぐり線の作図方法を示す図である。
【図４】この発明に係るパターン作成方法における前衿ぐり線の作図方法を示す図である。
【図５】この発明に係るパターン作成方法における前袖ぐり線及び乳ダーツ線の作図方法を示す図である。
【図６】この発明に係るパターン作成方法における前袖ぐり線の作図方法を示す図である。
【図７】この発明に係るパターン作成方法における後袖ぐり線及び肩ダーツ線の作図方法を示す図である。
【図８】この発明に係るパターン作成方法における長袖原型の作図方法を示す図である。
【図９】この発明に係るパターン作成方法における前袖山線の作図方法を示す図である。
【図１０】この発明に係るパターン作成方法における前袖口線の作図方法を示す図である。
【図１１】この発明に係るパターン作成方法における後袖山線の作図方法を示す図である。
【図１２】この発明に係るパターン作成方法における後袖口線の作図方法を示す図である。
【図１３】この発明に係るパターン作成方法における半袖原型の作図方法を示す図である。
【図１４】この発明に係るパターン作成方法における前袖山線の作図方法を示す図である。
【図１５】この発明に係るパターン作成方法における前袖口線の作図方法を示す図である。
【図１６】この発明に係るパターン作成方法における後袖山線の作図方法を示す図である。
【図１７】この発明に係るパターン作成方法における後袖口線の作図方法を示す図である。
【図１８】この発明に係るパターン作成方法のフローチャートである。
【図１９】（ａ）はこの発明に係るパターン作成定規の一例を示す裏面図、（ｂ）は表面図である。
【図２０】（ａ）はこの発明に係るパターン作成定規の他の例を示す裏面図、（ｂ）は表面図である。
【図２１】（ａ）はこの発明に係るパターン作成定規の他の例を示す裏面図、（ｂ）は表面図である。
【図２２】（ａ）はこの発明に係るパターン作成定規の他の例を示す裏面図、（ｂ）は表面図である。
【図２３】（ａ）はこの発明に係るパターン作成定規の他の例を示す裏面図、（ｂ）は表面図である。
【図２４】図２３のパターン作成定規の使用状態を示す図である。
【図２５】（ａ）は従来のパターン作成定規を示す裏面図、（ｂ）は表面図である。
【符号の説明】
Ｌ…定規板
Ｘ…基準尺目盛
Ａ、Ｂ、Ｃ、Ｄ、Ｅ、Ｇ…目盛
２３…曲線部
２４ａ…窓孔
２４ｂ…窓孔
２５…起端
２６…角度指標
２４ｃ、２４ｄ…溝孔
２４ｅ…小孔
２４ｆ、２４ｇ…補助定規板
２４ｈ〜２４ｎ…指標
【図１】
0003635057.tif 000002
【図２】
0003635057.tif 000003
【図３】
0003635057.tif 000004
【図４】
0003635057.tif 000005
【図５】
0003635057.tif 000006
【図６】
0003635057.tif 000007
【図７】
0003635057.tif 000008
【図８】
0003635057.tif 000009
【図９】
0003635057.tif 000010
【図１０】
0003635057.tif 000011
【図１１】
0003635057.tif 000012
【図１２】
0003635057.tif 000013
【図１３】
0003635057.tif 000014
【図１４】
0003635057.tif 000015
【図１５】
0003635057.tif 000016
【図１６】
0003635057.tif 000017
【図１７】
0003635057.tif 000018
【図１８】
0003635057.tif 000019
【図１９】
0003635057.tif 000020
【図２０】
0003635057.tif 000021
【図２１】
0003635057.tif 000022
【図２２】
0003635057.tif 000023
【図２３】
0003635057.tif 000024
【図２４】
0003635057.tif 000025
【図２５】
0003635057.tif 000026